(57)【特許請求の範囲】
【請求項１】
本固定用ねじがねじ込まれる本固定用ねじ孔及び仮固定用ねじがねじ込まれる仮固定用ねじ孔を室内側の面に有するケーシングと、
前記ケーシングに収容される送風機と、
前記ケーシングを天井または壁の高所に固定する固定金具と、
前記ケーシングの前記室内側の面に固定されるグリルと、を備え、
前記グリルは、前記本固定用ねじの頭部の径よりも小さい幅の長孔である本固定用孔、前記仮固定用ねじの軸部の径よりも幅が大きくかつ前記仮固定用ねじの頭部の径よりも幅が小さい仮固定用溝、及び前記仮固定用溝と連結する、前記仮固定用ねじの頭部の径よりも大きい仮固定用孔を、前記ケーシングに取り付けられる部分に有し、
前記グリルは、前記室内側の面に覗き窓を有する案内板を備え、
前記覗き窓は、前記グリルに設けられた前記仮固定用孔及び前記本固定用孔を前記室内側から見た場合に、前記案内板が前記仮固定用孔及び前記本固定用孔を覆う部分に形成され、
前記覗き窓は、前記グリルが前記ケーシングに本固定された場合に、前記グリルに設けられた前記仮固定用ねじを前記室内側から見た場合に、前記案内板が前記仮固定用ねじを覆う部分には形成されていないことを特徴とするサーキュレータ。
【請求項２】
前記仮固定用ねじは、段付ねじであることを特徴とする請求項１に記載のサーキュレータ。
【発明の詳細な説明】
【技術分野】
【０００１】
本発明は、空気を吸い込んで吹き出すサーキュレータに関する。
【背景技術】
【０００２】
従来のサーキュレータでは、特許文献１に示すように、内部に送風機を収めたケーシングを天井に固定をしてから、グリルをケーシング下面に取り付ける。また、グリルの取付けにおいては、位置合わせ用ねじの先端部が鉛直方向上側となるようにグリルの上面に取付け、ケーシング下面に設けられた位置合わせ用孔に位置合わせ用ねじを挿入し、グリルとケーシングとの位置を合わせてから、本固定用ねじで固定していた。
【先行技術文献】
【特許文献】
【０００３】
【特許文献１】特開２００３−２２７６３９号公報
【発明の概要】
【発明が解決しようとする課題】
【０００４】
しかしながら、特許文献１のサーキュレータは、グリルをケーシングに取り付ける場合に、一人がグリルを支え、他の一人がねじを締めて固定する必要があり、一人ではグリルをケーシングに取り付けることができない。また、ケーシングの位置合わせ用孔とグリルに取り付けられた位置合わせ用ねじとを挿入する作業が盲作業であり、さらに取付け作業は高所で行われるため、グリルをケーシングに固定する作業を容易に行うことができない。
【０００５】
本発明は、上記に鑑みてなされたものであって、グリルをケーシングに固定する作業の作業性を改善したサーキュレータを提供することを目的とする。
【課題を解決するための手段】
【０００６】
上述した課題を解決し、目的を達成するために、本発明に係るサーキュレータは、本固定用ねじがねじ込まれる本固定用ねじ孔及び仮固定用ねじがねじ込まれる仮固定用ねじ孔を室内側の面に有するケーシングと、ケーシングに収容される送風機と、ケーシングを天井または壁の高所に固定する固定金具と、ケーシングの前記室内側の面に固定されるグリルと、を備える。グリルは、本固定用ねじの頭部の径よりも小さい幅の長孔である本固定用孔、仮固定用ねじの軸部の径よりも幅が大きくかつ仮固定用ねじの頭部の径よりも幅が小さい仮固定用溝、及び仮固定用溝と連結する、仮固定用ねじの頭部の径よりも大きい仮固定用孔を、前記ケーシングに取り付けられる部分に有する。グリルは、室内側の面に覗き窓を有する案内板を備え、覗き窓は、グリルに設けられた仮固定用孔及び本固定用孔を室内側から見た場合に、案内板が仮固定用孔及び本固定用孔を覆う部分に形成され、覗き窓は、グリルがケーシングに本固定された場合に、グリルに設けられた仮固定用ねじを室内側から見た場合に、案内板が仮固定用ねじを覆う部分には形成されていない。
【発明の効果】
【０００７】
本発明によれば、グリルをケーシングに固定する作業の作業性が改善したサーキュレータを提供できるという効果を奏する。
【図面の簡単な説明】
【０００８】
【図１】実施の形態に係るサーキュレータの斜視図
【図２】実施の形態に係るサーキュレータの仮固定前のグリルとケーシングとの固定位置を拡大して示す拡大図
【図３】実施の形態に係るサーキュレータの本固定後のグリルとケーシングとの固定位置を拡大して示す拡大図
【図４】実施の形態に係るサーキュレータのケーシングを室内側から見た正面図
【図５】実施の形態に係るサーキュレータにグリルを取り付けた後の斜視図
【図６】実施の形態に係るサーキュレータのグリルを室内側から見た正面図
【図７】図３に示すＶＩＩ−ＶＩＩ線に沿って見たサーキュレータの断面図
【図８】図３に示すＶＩＩＩ−ＶＩＩＩ線に沿って見たサーキュレータの断面図
【図９】図２に示したグリルとケーシングとの固定位置をさらに拡大して示す拡大図
【図１０】図３に示したグリルとケーシングとの固定位置をさらに拡大して示す拡大図
【発明を実施するための形態】
【０００９】
以下に、本発明の実施の形態に係るサーキュレータを図面に基づいて詳細に説明する。なお、この実施の形態により本発明が限定されるものではない。
【００１０】
実施の形態．
図１は、実施の形態に係るサーキュレータの斜視図である。図２は、実施の形態に係るサーキュレータの仮固定前のグリルとケーシングとの固定位置を拡大して示す拡大図である。図３は、実施の形態に係るサーキュレータの本固定後のグリルとケーシングとの固定位置を拡大して示す拡大図である。図４は、本発明の実施の形態に係るサーキュレータのケーシングを室内側から見た正面図である。
【００１１】
図５は、本発明の実施の形態に係るサーキュレータにグリルを取り付けた後の斜視図である。図６は、本発明の実施の形態に係るサーキュレータのグリルを室内側から見た正面図である。図７は、図３に示すＶＩＩ−ＶＩＩ線に沿って見たサーキュレータの断面図である。図８は、図３に示すＶＩＩＩ−ＶＩＩＩ線に沿って見たサーキュレータの断面図である。
【００１２】
本実施の形態のサーキュレータ１００は、図１に示すように、直方体形状のケーシング１と、ケーシング１を取付対象に固定する固定金具２と、ケーシング１の室内側ＲＳの面１ＲＰに固定されるグリル３と、室内の空気を循環させる送風機である羽根車４と、を備える。本実施の形態において、ケーシング１の取付対象は天井である。すなわち、サーキュレータ１００は天井埋込型となる。本実施の形態において、羽根車４はクロスフローファンである。羽根車４の回転中心軸Ｚｒは、ケーシング１の長手方向に沿って延びている。以下において、ケーシング１の室内側ＲＳの面１ＲＰを適宜、取付面１ＲＰと称する。
【００１３】
図１に示すように、ケーシング１は、直方体形状である。ケーシング１は、羽根車４を収容する。本実施の形態において、ケーシング１は、板金加工によって製造されるが、ケーシング１はこのようなものに限定されない。直方体形状のケーシング１は、１つの面に開口部１Ｈを有する。取付面１ＲＰは、開口部１Ｈに向かってケーシング１の一部が張り出した部分である。ケーシング１は、図４に示すように、本固定用ねじ孔１０と、仮固定用ねじ孔１２とを取付面１ＲＰに４か所ずつ有する。
【００１４】
固定金具２は、ケーシング１を吊りボルト１５に固定するための金具である。固定金具２は、図１及び図４に示すように、ケーシング１の一対の側面１Ｓｆ，１Ｓｓに取り付けられる。一対の側面１Ｓｆ，１Ｓｓは、羽根車４の回転中心軸Ｚｒが延びる方向、すなわちケーシング１の長手方向側に存在する一対の面である。固定金具２には、ボルト１３とナット１４とが締結される。固定金具２は、天井に固定された吊りボルト１５にナット１６を締結することで固定される。
【００１５】
グリル３は、図２に示すように仮固定用孔６、仮固定用溝７及び本固定用孔８を備え、図７に示すように案内板１７を備える。グリル３は、ケーシング１の取付面１ＲＰに取り付けられる。グリル３は、ケーシング１の取付面１ＲＰ及び天井の開口部よりも大きい。このため、サーキュレータ１００が天井に取り付けられると、グリル３は、ケーシング１と天井の開口部との間の隙間を覆う。
【００１６】
仮固定用孔６、仮固定用溝７及び本固定用孔８は、図２に示すように、グリル３のケーシング１に取り付けられる部分３Ｆに４か所ずつ形成される。以下において、グリル３のケーシング１に取り付けられる部分３Ｆを適宜、取付部分３Ｆと称する。取付部分３Ｆは、図７及び図８に示すように、グリル３がケーシング１と接する部分である。仮固定用孔６と仮固定用溝７とは連結している。より詳細には、仮固定用溝７は、円形の仮固定用孔６の一部から、グリル３の長手方向ＬＧ、すなわちケーシング１に備えられる羽根車４の回転中心軸Ｚｒと平行な方向に沿って延びている。このように、仮固定用孔６及び仮固定用溝７は、グリル３に連続して形成された１つの開口である。
【００１７】
仮固定用孔６は、仮固定用ねじ５の頭部５Ｈの径５Ｄよりも大きい孔である。より詳細には、仮固定用孔６の円形の部分の径６Ｄは、仮固定用ねじ５の頭部５Ｈの径５Ｄよりも大きい。仮固定用溝７は、仮固定用ねじ５の軸部５Ｓの径５ｄよりも幅７Ｗが大きくかつ仮固定用ねじ５の頭部５Ｈの径５Ｄよりも幅７Ｗが小さい溝である。幅７Ｗは、仮固定用溝７が延びる方向と直交する方向における仮固定用溝７の寸法である。
【００１８】
本固定用孔８は、長孔である。より詳細には、本固定用孔８は、二つの半円８ＣＨ，８ＣＨが、互いに平行な２本の直線８Ｌ，８Ｌで接続された、レーストラック状の形状である。本固定用孔８は、グリル３の長手方向ＬＧ、すなわちケーシング１に備えられる羽根車４の回転中心軸Ｚｒと平行な方向に沿って延びている。本固定用孔８は、仮固定用孔６を基準として、仮固定用溝７とは反対側に形成される。
【００１９】
本固定用孔８の幅８Ｗは、本固定用ねじ１１の軸部１１Ｓの径１１ｄよりも大きく、かつ本固定用ねじ１１の頭部１１Ｈの径１１Ｄよりも小さい。幅８Ｗは、本固定用孔８が延びる方向と直交する方向における本固定用孔８の寸法である。幅８Ｗは、２本の直線８Ｌ，８Ｌ間の最短距離でもある。
【００２０】
図７及び図８に示す案内板１７は、グリル３を通過する空気の流れを案内する板である。案内板１７は、図７に示すように覗き窓９を有する。案内板１７は、図７及び図８に示すように、グリル３の室内側ＲＳに配置される。
【００２１】
覗き窓９は、図２に示すように、室内側ＲＳから仮固定用孔６及び本固定用孔８を見た場合に、案内板１７が仮固定用孔６及び本固定用孔８を覆う部分に形成される開口である。覗き窓９は、図３及び図８に示すように、グリル３がケーシング１に本固定された位置に移動した場合に、仮固定用ねじ５の位置から外れる。このため、グリル３がケーシング１に本固定された位置に移動すると、案内板１７によって仮固定用ねじ５が隠される。つまり、覗き窓９は、グリル３をケーシング１に本固定した後に室内側ＲＳから覗き窓９を見た場合に、仮固定用ねじ５が視認できない位置に開口する。
【００２２】
羽根車４は、ケーシング１に収容される。羽根車４は、図示しない電動機と接続されている。電動機は、羽根車４を回転させる。これにより、羽根車４は、グリル３を介して室内の空気を吸い込み、吸い込んだ空気を室内に吹き出す。
【００２３】
図９は、図２に示したグリルとケーシングとの固定位置をさらに拡大して示す拡大図である。図１０は、図３に示したグリルとケーシングとの固定位置をさらに拡大して示す拡大図である。グリル３とケーシング１との取付方法を説明する。
【００２４】
まず、ケーシング１に形成された、図４に示す仮固定用ねじ孔１２に仮固定用ねじ５をねじ込む。仮固定用ねじ５は、仮固定用ねじ５の頭部５Ｈとケーシング１との間に隙間が空くように、ねじ山を残してねじ込まれる。本実施の形態において、図４に示すように仮固定用ねじ孔１２が４か所形成されているため、４か所の仮固定用ねじ孔１２に仮固定用ねじ５がねじ込まれる。
【００２５】
次に、図９に示すように、グリル３が有する仮固定用孔６に、ケーシング１にねじ込まれた仮固定用ねじ５の頭部５Ｈを挿入する。本実施の形態において、仮固定用孔６が４か所形成されているため、４か所の仮固定用孔６に仮固定用ねじ５の頭部５Ｈが挿入される。案内板１７は覗き窓９を有するので、作業者は、仮固定用孔６の位置を視認しながら仮固定用ねじ５を仮固定用孔６に挿入することができる。
【００２６】
次に、作業者は、仮固定用ねじ５の頭部５Ｈが仮固定用孔６に挿入された状態で、仮固定用ねじ５を仮固定用孔６から仮固定用溝７へ移動させる。このため、作業者は、グリル３を、仮固定用溝７から仮固定用孔６に向かう方向にスライドさせる。前述したように、仮固定用溝７の幅７Ｗは、仮固定用ねじ５の頭部５Ｈの径５Ｄよりも小さく、かつ仮固定用ねじ５の軸部５Ｓの径５ｄよりも小さい。このため、仮固定用ねじ５の頭部５Ｈが仮固定用溝７の部分でグリル３を支えることができるので、グリル３は仮固定用ねじ５によってケーシング１に仮固定される。
【００２７】
次に、図１０に示すように、グリル３に形成された本固定用孔８と、ケーシング１に形成された本固定用ねじ孔１０との位置が室内側ＲＳから見た場合に一致するように、作業者はグリル３をスライドさせる。前述したように、本固定用孔８は、仮固定用孔６を基準として仮固定用溝７とは反対側に形成されるので、仮固定用ねじ５が仮固定用溝７に移動して仮固定用ねじ５の頭部５Ｈが案内板１７に隠されても、本固定用孔８は覗き窓９から露出する。最後に、図１０に示すように、作業者は、本固定用孔８を通して本固定用ねじ孔１０に本固定用ねじ１１をねじ込む。本実施の形態において、本固定用ねじ孔１０は４か所に形成されているため、４か所の本固定用ねじ孔１０に本固定用ねじ１１がねじ込まれる。
【００２８】
以上より、サーキュレータ１００は、仮固定用ねじ５の軸部５Ｓの径５ｄよりも幅７Ｗが大きくかつ仮固定用ねじ５の頭部５Ｈの径５Ｄよりも幅７Ｗが小さい仮固定用溝７と、仮固定用溝７と連結して形成され仮固定用ねじ５の頭部５Ｈの径５Ｄよりも大きい仮固定用孔６とをグリル３の取付部分３Ｆに有する。このような構造により、仮固定用孔６に仮固定用ねじ５の頭部５Ｈが挿入された後にグリル３がスライドされることで、仮固定用ねじ５が仮固定用溝７の部分でグリル３を支えることができる。このため、作業者は、グリル３がケーシング１に仮固定された状態でグリル３を本固定することができる。このように、サーキュレータ１００は、作業者がグリル３をケーシング１に固定する作業の作業性を改善することができる。サーキュレータ１００は、グリル３がケーシング１に仮固定されるので作業者は一人でグリル３をケーシング１に取り付けることができる。
【００２９】
サーキュレータ１００は、仮固定用ねじ５の軸部５Ｓの径５ｄよりも幅７Ｗが大きくかつ仮固定用ねじ５の頭部５Ｈの径５Ｄよりも幅７Ｗが小さい仮固定用溝７を取付部分３Ｆに有する。このような構造により、本固定後に本固定用ねじ１１が外れた場合でも、仮固定用ねじ５が仮固定用溝７の部分でグリル３を支えることができる。その結果、グリル３をケーシング１に取り付ける作業中にグリル３が落下する可能性を低減できる。
【００３０】
サーキュレータ１００は、室内側ＲＳから仮固定用孔６及び本固定用孔８を見た場合に、案内板１７が仮固定用孔６及び本固定用孔８を覆う部分に覗き窓９を有する。このような構造により、ケーシング１に固定された仮固定用ねじ５にグリル３が有する仮固定用孔６を挿入する場合に、作業者は室内側ＲＳから挿入箇所を視認することができる。これに加えて、作業者は、本固定用ねじ孔１０と本固定用孔８とを位置合わせする場合に、室内側ＲＳから本固定用孔８を視認することができる。このため、サーキュレータ１００は、仮固定及び本固定作業の作業性を改善できる。
【００３１】
サーキュレータ１００は、グリル３がケーシング１に本固定された場合に、案内板１７が仮固定用ねじ５を隠す。つまり、グリル３がケーシング１に本固定された後に室内側ＲＳから覗き窓９を見ると、仮固定用ねじ５が視認できない位置に覗き窓９が開口する。このような構造により、室内側からグリル３を見た場合に、仮固定用ねじ５が露出することが防止されるので、サーキュレータ１００の意匠性を向上させることができる。
【００３２】
仮固定用ねじ５は段付ねじであることが好ましい。段付ねじにより、仮固定用ねじ５をケーシング１に固定する場合に、ケーシング１の室内側ＲＳの面と仮固定用ねじ５の頭部５Ｈとの間に一定の大きさの隙間を確保することができる。その結果、作業者がグリル３をスライドさせる場合に必要な、ケーシング１と仮固定用ねじ５の頭部５Ｈとの隙間を容易に確保することができるので、作業性はさらに向上する。
【００３３】
本実施の形態において、ケーシング１の取付対象は壁であってもよい。この場合、サーキュレータ１００は壁埋込型となる。サーキュレータ１００が壁埋込型である場合、サーキュレータ１００を設置可能な場所を増やすことができる。サーキュレータ１００が壁埋込型である場合、室内に有効な壁面スペースがあれば、壁面スペースを有効に活用して、サーキュレータ１００の取付位置を低くすることができる。その結果、サーキュレータ１００を、取り付ける際の作業の作業性を改善することができる。サーキュレータ１００が壁埋込型である場合、天井に設置される照明器具及び火災報知器とサーキュレータ１００との干渉を避けることができる。
【００３４】
本実施の形態において、サーキュレータ１００は、仮固定用孔６と仮固定用溝７と本固定用孔８と本固定用ねじ孔１０と仮固定用ねじ孔１２とをそれぞれ４個ずつ有するが、これらの数は４個に限定されない。
【００３５】
以上の実施の形態に示した構成は、本発明の内容の一例を示すものであり、別の公知の技術と組み合わせることも可能であるし、本発明の要旨を逸脱しない範囲で、構成の一部を省略及び変更することも可能である。
【符号の説明】
【００３６】
１  ケーシング、２  固定金具、３  グリル、４  羽根車、５  仮固定用ねじ、６  仮固定用孔、７  仮固定用溝、８  本固定用孔、９  覗き窓、１０  本固定用ねじ孔、１１  本固定用ねじ、１２  仮固定用ねじ孔、１３  ボルト、１４，１６  ナット、１５  吊りボルト、１７  案内板、１００  サーキュレータ。
【図１】
0006671192.tif 000002
【図２】
0006671192.tif 000003
【図３】
0006671192.tif 000004
【図４】
0006671192.tif 000005
【図５】
0006671192.tif 000006
【図６】
0006671192.tif 000007
【図７】
0006671192.tif 000008
【図８】
0006671192.tif 000009
【図９】
0006671192.tif 000010
【図１０】
0006671192.tif 000011